(57)【要約】【課題】  本発明は、波長多重数の増加に対する挿入損失の増加率が小さく且つコンパクトな光分岐モジュールを提供することを目的とする。【解決手段】  本発明に係る光分岐モジュールは、２入力×２出力の２ｐ×（ｐ＋１）（ｐ：自然数）個の光カプラと、前記２ｐ×（ｐ＋１）個の光カプラを２ｐ個ずつの（ｐ＋１）個の組として１の組の光カプラの出力ポートと他の組の光カプラの入力ポートとを１対１に接続して前記（ｐ＋１）個の組が（ｐ＋１）段に縦続接続するように、ｑ（ｑ：ｐ以下の自然数）段目及び（ｑ＋１）段目の組の２ｐ個の光カプラをそれぞれ順に２ｑ−１個ずつの２ｐ−ｑ＋１個のユニット及び２ｑ個ずつの２ｐ−ｑ個のユニットとして前記ｑ段目の組の１のユニットの光カプラの２ｑ個の出力ポートを前記(ｑ＋１) 段目の組の１のユニットの２ｑ個のそれぞれの光カプラのいずれか１の入力ポートに１つずつ接続する接続手段と、を有する。【選択図】図１
2006309066.tif 000002
【特許請求の範囲】
【請求項１】
２つの入力ポートから入力されたそれぞれの光を略等分岐して２つの出力ポートからそれぞれ出力する２ｐ×（ｐ＋１）（但し、ｐは自然数である。）個の光カプラと、
前記２ｐ×（ｐ＋１）個の光カプラを２ｐ個ずつの（ｐ＋１）個の組として１の組の光カプラの出力ポートと他の組の光カプラの入力ポートとを１対１に接続して前記（ｐ＋１）個の組が（ｐ＋１）段に縦続接続するように、ｑ（但し、ｑはｐ以下の自然数である。）段目及び（ｑ＋１）段目の組の２ｐ個の光カプラをそれぞれ順に２ｑ−１個ずつの２ｐ−ｑ＋１個のユニット及び２ｑ個ずつの２ｐ−ｑ個のユニットとして前記ｑ段目の組の１のユニットの光カプラの２ｑ個の出力ポートを前記(ｑ＋１) 段目の組の１のユニットの２ｑ個のそれぞれの光カプラのいずれか１の入力ポートに１つずつ接続する接続手段と、
を有することを特徴とする光分岐モジュール。
【請求項２】
前記２ｐ×（ｐ＋１）個の光カプラがそれぞれ平面光波回路基板上の光導波路により形成されていることを特徴とする請求項１に記載の光分岐モジュール。
【請求項３】
前記（ｐ＋１）個の組の各組の２ｐ個の光カプラが同一の前記平面光波回路基板上に形成されていることを特徴とする請求項２に記載の光分岐モジュール。
【請求項４】
前記（ｐ＋１）個の組のうち少なくとも２組分の光カプラが同一の前記平面光波回路基板上に形成されていることを特徴とする請求項３に記載の光分岐モジュール。
【請求項５】
前記接続手段は、前記ｑ段目の組の光カプラの出力ポートと該出力ポートに対応する前記（ｑ＋１）段目の組の光カプラの入力ポートとを接続する光ファイバ又は該光ファイバを配列した光ファイバテープを含むことを特徴とする請求項１から４のいずれかに記載の光分岐モジュール。
【請求項６】
前記接続手段は、２以上の光ファイバを配列して前記ｑ段目の組の光カプラの出力ポートにそれぞれ接続する第１の光ファイバテープと、前記２以上の光ファイバと同数の光ファイバを配列して前記出力ポートに対応する前記（ｑ＋１）段目の組の光カプラの入力ポートにそれぞれ接続する第２の光ファイバテープと、前記第１の光ファイバテープと前記第２の光ファイバテープとの間で前記第１の光ファイバテープ及び前記第２の光ファイバテープのそれぞれから分岐して互いに接続された光ファイバを収容する光ファイバシートと、を含むことを特徴とする請求項１から５のいずれかに記載の光分岐モジュール。
【請求項７】
前記接続手段は、平面光波回路基板上に形成され前記ｑ段目の組の光カプラの出力ポートと該出力ポートに対応する前記（ｑ＋１）段目の組の光カプラの入力ポートとを接続する光導波路を含むことを特徴とする請求項１から６のいずれかに記載の光分岐モジュール。
【請求項８】
前記接続手段は、２ｑ＋ｍ−１個（但し、ｍは（ｐ−ｑ＋１）以下の自然数である。）の光ファイバを配列して前記ｑ段目の組の２ｍ個のユニットの２ｑ＋ｍ−１個のそれぞれの光カプラのいずれか１の出力ポートと前記（ｑ＋１）段目の組の光カプラの入力ポートとを平行に接続する第１の光ファイバテープと、２ｑ＋ｍ−１個の光ファイバを配列して前記２ｑ＋ｍ−１個のそれぞれの光カプラの他の１の出力ポートと前記（ｑ＋１）段目の組の光カプラの入力ポートとを対象に接続する第２の光ファイバテープと、を含むことを特徴とする請求項１から７のいずれかに記載の光分岐モジュール。
【請求項９】
前記２ｐ×（ｐ＋１）個の光カプラのうち１段目の組の光カプラの１以上の入力ポートの前段部に配置された光学フィルタをさらに有することを特徴とする請求項１から８のいずれかに記載の光分岐モジュール。
【発明の詳細な説明】
【技術分野】
【０００１】
本発明は、光ファイバを伝搬する複数の波長の光を合分岐する光分岐モジュールに関する。
【背景技術】
【０００２】
ＰＤＳ（Ｐａｓｓｉｖｅ  Ｄｏｕｂｌｅ  Ｓｔａｒ）により複数波長多重システムを構成する場合、光ファイバを伝搬する複数波長の光を合分波する光合分波器を使用する（例えば、特許文献１を参照。）。ここで、図２５を参照してＰＤＳによる波長多重システムについて用いる従来の光合分波器について説明する。
【０００３】
図２５は、ＰＤＳによる波長多重システムの概略構成図である。
【０００４】
波長多重システム４００では、光終端装置１５６、１５７、１５８、１５９と光終端装置１６３との間で光通信を行う場合、光終端装置１５６、１５７、１５８、１５９からそれぞれ送信される異なる波長の光を光合分波器１７０により合波する。そして、光合分波器１７０で合波した光を任意の分岐数で分岐する光スプリッタ１７１、１６２により分岐して光終端装置１６３により受信する。なお、図２５では、光スプリッタ１７１は光合分波器１７０からの光を４分岐し、光スプリッタ１６２は光スプリッタ１７１からの光を８分岐する例を示している。
【０００５】
従来、光合分波器１７０としては、例えばＡＷＧ（アレイ導波路回折格子）で光を合波するもの（例えば、非特許文献１を参照。）や特定波長を透過する誘電体多層膜に光を透過させレンズで集光して光を合波するものがある。また、複数の光カプラを接続して光を合分波するものもある。
【０００６】
図２６に、複数の光カプラを接続した光合分波器の概略構成図を示す。
【０００７】
図２６に示す光合分波器１７９では、平面光波回路基板１７３上に形成された２つの光カプラ１８０、１８２の１の出力ポートが光カプラ１８４の入力ポートにそれぞれ接続され、光カプラ１８４の出力ポートが２つの光カプラ１８１、１８３の１の入力ポートにそれぞれ接続される。このように接続することで、光合分波器１７９では、４つの入力ポートからそれぞれ異なる波長の光λ１〜λ４を入力するとλ１〜λ４の４つの光がそれぞれの光カプラ１８１、１８３の出力ポートから出力されることとなる。
【０００８】
【特許文献１】特開平２００１−３３３０４７号公報
【非特許文献１】波長多重通信（ＷＤＭ、ＤＷＤＭ）における光デバイス・材料技術，技術情報，ｐｐ．１３１−ｐｐ．１３７
【発明の開示】
【発明が解決しようとする課題】
【０００９】
しかし、図２５に示した光合分波器１７９では、未接続の入出力ポートが存在し、且つ波長多重数を２波長増やすごとに出力ポートから出力される光の強度が１／４ずつ減少するため、挿入損失が過剰となる。そのため、光合分波器の過剰な挿入損失を補うため複数の光増幅器を別途設ける必要がある。また、ＡＷＧを用いた光合分波器を別途設ける場合では、ＡＷＧが高価であることから経済的ではない。さらに、誘電体多層膜及びレンズを用いた光合分波器を別途設ける場合では、誘電体多層膜に波長依存性があり、波長ごとに別の光合分波器が必要となる。
【００１０】
従って、従来の光合分波器を適用した波長多重システムでは、波長多重数に対するシステムの規模が大きく、通信コストが高い。
【００１１】
そこで、本発明では、波長多重数に対する挿入損失が小さく且つ安価でコンパクトな光分岐モジュールを提供することを目的とする。
【課題を解決するための手段】
【００１２】
本発明では、上記目的を達成するために、光カプラを縦続接続する際に、光カプラの入出力ポートを過不足なく他の入出力ポートと接続することとした。  
【００１３】
具体的には、本発明に係る光分岐モジュールは、２つの入力ポートから入力されたそれぞれの光を略等分岐して２つの出力ポートからそれぞれ出力する２ｐ×（ｐ＋１）（但し、ｐは自然数である。）個の光カプラと、前記２ｐ×（ｐ＋１）個の光カプラを２ｐ個ずつの（ｐ＋１）個の組として１の組の光カプラの出力ポートと他の組の光カプラの入力ポートとを１対１に接続して前記（ｐ＋１）個の組が（ｐ＋１）段に縦続接続するように、ｑ（但し、ｑはｐ以下の自然数である。）段目及び（ｑ＋１）段目の組の２ｐ個の光カプラをそれぞれ順に２ｑ−１個ずつの２ｐ−ｑ＋１個のユニット及び２ｑ個ずつの２ｐ−ｑ個のユニットとして前記ｑ段目の組の１のユニットの光カプラの２ｑ個の出力ポートを前記(ｑ＋１) 段目の組の１のユニットの２ｑ個のそれぞれの光カプラのいずれか１の入力ポートに１つずつ接続する接続手段と、を有することを特徴とする。
【００１４】
本発明に係る光分岐モジュールは、２つの入力ポートから入力されたそれぞれの光を略等分岐して２つの出力ポートからそれぞれ出力する光カプラを上記の接続手段により接続するため、光の合分波を同時に行うことが可能である。そのため、従来のように合分波器を別途設置する場合に比べ、挿入損失を低損失とすることができる。また、波長多重数を増加させても、従来と比較して光カプラの数が少ないため、挿入損失の低損失化を図り且つ安価でコンパクトとすることができる。
【００１５】
上記光分岐モジュールにおいて、前記２ｐ×（ｐ＋１）個の光カプラがそれぞれ平面光波回路基板上の光導波路により形成されていることを含む。
【００１６】
本発明に係る光分岐モジュールは、光カプラを平面光波回路基板上の光導波路により形成することにより、複数の光カプラを同一基板上で製造できるため、別々の光カプラを製造する場合に比べ、製造コストを低減して、光分岐モジュールのモジュールコストを抑制できる。
【００１７】
また、上記光分岐モジュールにおいて、前記（ｐ＋１）個の組の各組の２ｐ個の光カプラが同一の前記平面光波回路基板上に形成されていることを含む。
【００１８】
本発明に係る光分岐モジュールは、各組の２ｐ個の光カプラを同一の平面光波回路基板上に形成することにより、さらに光カプラの製造コストを低減して、光分岐モジュールのモジュールコストを抑制できる。
【００１９】
また、上記光分岐モジュールにおいて、前記（ｐ＋１）個の組のうち少なくとも２組分の光カプラが同一の前記平面光波回路基板上に形成されていることを含む。
【００２０】
本発明に係る光分岐モジュールは、（ｐ＋１）個の組のうち少なくとも２組分の光カプラを同一の平面光波回路基板上に形成することにより、複数の組の光カプラを同一基板上に形成することから、各組の接続距離が短くなる分、光分岐モジュールをさらにコンパクトとすることができ、省スペース化が可能である。
【００２１】
また、上記光分岐モジュールにおいて、前記接続手段は、前記ｑ段目の組の光カプラの出力ポートと該出力ポートに対応する前記（ｑ＋１）段目の組の光カプラの入力ポートとを接続する光ファイバ又は該光ファイバを配列した光ファイバテープを含む。
【００２２】
本発明に係る光分岐モジュールは、接続手段を光ファイバ又は光ファイバテープとすることにより、接続する入出力ポートを任意に選択できる。そのため、いずれの光カプラが故障しても予備の光カプラに接続し直すことができるため、光分岐モジュールの管理コストを低減することができる。
【００２３】
また、上記光分岐モジュールにおいて、前記接続手段は、２以上の光ファイバを配列して前記ｑ段目の組の光カプラの出力ポートにそれぞれ接続する第１の光ファイバテープと、前記２以上の光ファイバと同数の光ファイバを配列して前記出力ポートに対応する前記（ｑ＋１）段目の組の光カプラの入力ポートにそれぞれ接続する第２の光ファイバテープと、前記第１の光ファイバテープと前記第２の光ファイバテープとの間で前記第１の光ファイバテープ及び前記第２の光ファイバテープのそれぞれから分岐して互いに接続された光ファイバを収容する光ファイバシートと、を含む。
【００２４】
本発明に係る光分岐モジュールは、光ファイバテープ同士を光ファイバシートを介して接続することにより、光ファイバテープ単位での光カプラ間の接続が可能となる。また、光ファイバ配線の保護、並びに光分岐モジュールの取り扱いの容易化及びモジュールサイズの小型化を図ることができる。
【００２５】
また、上記光分岐モジュールにおいて、前記接続手段は、平面光波回路基板上に形成され前記ｑ段目の組の光カプラの出力ポートと該出力ポートに対応する前記（ｑ＋１）段目の組の光カプラの入力ポートとを接続する光導波路を含む。
【００２６】
本発明に係る光分岐モジュールは、接続手段を平面光波回路基板上に形成された光導波路とすることにより、光カプラ同士の接続距離を短くできるため、光分岐モジュールの構成要素の実装の高密度化を図ることができる。
【００２７】
また、上記光分岐モジュールにおいて、前記接続手段は、２ｑ＋ｍ−１個（但し、ｍは（ｐ−ｑ＋１）以下の自然数である。）の光ファイバを配列して前記ｑ段目の組の２ｍ個のユニットの２ｑ＋ｍ−１個のそれぞれの光カプラのいずれか１の出力ポートと前記（ｑ＋１）段目の組の光カプラの入力ポートとを平行に接続する第１の光ファイバテープと、２ｑ＋ｍ−１個の光ファイバを配列して前記２ｑ＋ｍ−１個のそれぞれの光カプラの他の１の出力ポートと前記（ｑ＋１）段目の組の光カプラの入力ポートとを対象に接続する第２の光ファイバテープと、を含む。
【００２８】
本発明に係る光分岐モジュールは、接続手段を上記第１光ファイバテープ及び第２光ファイバテープとすることにより、一方の光ファイバテープは、光カプラ同士をストレートに接続し、他方の光ファイバテープは、捻ることにより光カプラ同士を接続することができる。そのため、光ファイバテープからの単心分離やリボナイズを必要とせずに光ファイバテープ単位での接続が可能となる。従って、光分岐モジュールの取り扱いの容易化、モジュール構成要素の実装の高密度化及び製造効率の高効率化を図ることができる。
【００２９】
また、上記光分岐モジュールにおいて、前記２ｐ×（ｐ＋１）個の光カプラのうち１段目の組の光カプラの１以上の入力ポートの前段部に配置された光学フィルタをさらに有することが望ましい。
【００３０】
本発明に係る光分岐モジュールは、上記光学フィルタを有することにより、ＩＰネットワーク上での光通信の多重化を容易にすることができる。
【発明の効果】
【００３１】
本発明に係る光分岐モジュールは、波長多重数の増加に対する挿入損失の増加率が小さく且つ安価でコンパクトである。
【発明を実施するための最良の形態】
【００３２】
以下に、本発明に係る光分岐モジュールについて実施形態を示して詳細に説明するが、本発明は、以下の記載に限定して解釈されない。
【００３３】
図１に、本実施形態に係る光分岐モジュールの概略構成図を示す。
【００３４】
本実施形態に係る光分岐モジュール１は、２つの入力ポートから入力されたそれぞれの光を略等分岐して２つの出力ポートからそれぞれ出力する２ｐ×（ｐ＋１）個の光カプラ１１１、１２２、１３３、・・・（以下、「光カプラ１１１、１２２、１３３、・・・」を「光カプラ１１１等」とする。）と、それぞれの光カプラの入出力ポートを接続する接続手段４１、４２、４３、・・・（以下、「接続手段４１、４２、４３、・・・」を「接続手段４１等」とする。）と、を有する。なお、図１において、２ｐ×（ｐ＋１）個の光カプラは、光カプラ１１１と同様に点線の四角で囲まれたそれぞれを示すものとする。また、接続手段は、接続手段４１と同様に括弧で閉じられたそれぞれを示すものとする。
【００３５】
光カプラ１１１等は、２つの入力ポートから入力されたそれぞれの光を略等分岐して２つの出力ポートからそれぞれ出力する。この光カプラは、例えば、光ファイバ型、導波路型又はバルク型等いずれの光カプラを適用できるが、平面光波回路基板上の光導波路により形成する導波路型の光カプラとすることが望ましい。光カプラ１１１等を平面光波回路基板上の光導波路により形成することにより、複数の光カプラを同一基板上で製造できるため、別々の光カプラを製造する場合に比べ、製造コストを低減して、光分岐モジュールのモジュールコストを抑制できる。
【００３６】
また、光カプラ１１１等は、入力ポートから入力されたいずれの波長の光についても略等分岐して出力ポートから出力する波長無依存の光カプラとすることが望ましい。光カプラ１１１等を波長無依存とすることにより、いずれの波長の光も選択可能であるため、柔軟な光合分波が可能となる。
【００３７】
接続手段４１等は、２ｐ×（ｐ＋１）個の光カプラを２ｐ個ずつの（ｐ＋１）個の組として１の組の光カプラの出力ポートと他の組の光カプラの入力ポートとを１対１に接続して（ｐ＋１）個の組が（ｐ＋１）段に縦続接続する。図１においては、光カプラ１１１等を行列状に配置し、各列を上記２ｐ個ずつの組とした。つまり、光分岐モジュール１に含まれる２ｐ×（ｐ＋１）個の光カプラは、全体として（ｐ＋１）個の列に分かれることとなる。そして、ある列に含まれる光カプラの出力ポートと他の列に含まれる光カプラの入力ポートとを１対１に接続することにより、光カプラの（ｐ＋１）個の列は、（ｐ＋１）段に縦続に接続される。つまり、接続手段４１等は、ある組（列）に含まれる光カプラの２つの入力ポートを他の組（列）に含まれるいずれか２つの光カプラのいずれか１の出力ポートにそれぞれ接続することを前提とする。本実施形態では、隣り合う列同士の光カプラを接続して、図面左側から１段目の組、２段目の組、・・・が縦続に接続するように１段目の組、２段目の組、・・・を順に配置することとした。
【００３８】
さらに、接続手段４１等は、ｑ段目及び（ｑ＋１）段目の組の２ｐ個の光カプラをそれぞれ順に２ｑ−１個ずつの２ｐ−ｑ＋１個のユニット及び２ｑ個ずつの２ｐ−ｑ個のユニットとしてｑ段目の組の１のユニットの光カプラの２ｑ個の出力ポートを(ｑ＋１)段目の組の１のユニットの２ｑ個のいずれか１の入力ポートに１つずつ接続する。
【００３９】
つまり、図１において、例えば、２段目の組の光カプラは、２つずつで１つのユニットを構成し、３段目の組の光カプラは、４つずつで１つのユニットを構成することとなる。１つのユニットに含まれる光カプラの数は、次の段になるに従って２倍ずつ増加することとなる。本実施形態では、２段目の組の光カプラは、光カプラ２１１、２１２で１つのユニット、光カプラ２２１、２２２で１つのユニット、光カプラ２３１、２３２で１つのユニット、光カプラ２４１、２４２で１つのユニット、・・・を構成することとし、３段目の組の光カプラは、光カプラ３１１、３１２、３１３、３１４で１つのユニット、光カプラ３２１、３２２、３２３、３２４で１つのユニット、・・・を構成することとした。
【００４０】
以下、本明細書及び図面において、例えば３段目の組の２番目のユニットに含まれる４個目の光カプラの符号を光カプラ３２４として示すこととする。また、１つの光分岐モジュールに別々の２つの回路が含まれる場合は、符号の桁の最上位を増やし、例えば第２回路の３段目の組の２番目のユニットに含まれる４個目の光カプラの符号を光カプラ２３２４として示すこととする。
【００４１】
そして、例えば、光カプラ２２１、２２２について、４つの出力ポートを３段目の組の何れかの１のユニットの４つのそれぞれの光カプラのいずれか１の入力ポートに１つずつ接続する。本実施形態では、光カプラ２２１、２２２について、光カプラ２２１、２２２の４つの出力ポートを光カプラ３１１、３１２、３１３、３１４のいずれか１の入力ポートに１つずつ接続することとした。つまり、接続手段４１等は、ｑ段目の組の１のユニットの光カプラの２ｑ個の出力ポートを（ｑ＋１）段目の組の１のユニットのそれぞれ別の２ｑ個の光カプラの出力ポートにそれぞれ接続することを前提とする。本実施形態では、図面上側の列の最上位から２ｑ個ずつのユニットとし、ｑ段目の各ユニットを２つ単位で（ｑ＋１）段目の上位のユニットから順に接続することとした。
【００４２】
このように、接続手段４１等により光カプラ１１１等を接続することにより、光分岐モジュール１は、１段目のいずれの光カプラの入力ポートから入力された波長λ１の光を（ｐ＋１）段目（つまり、最後段）の光カプラのすべての出力ポートから波長λ１の光として出力することができる。つまり、２ｐ個の波長の光の合分波を同時に行って、２ｐ分岐することができる。そのため、従来のように合分波器を別途設置する場合に比べ、挿入損失を低損失とすることができる。さらに、光分岐モジュール１は、波長多重数を増加させても、従来と比較して光カプラの数が少ないため、挿入損失の低損失化を図り且つ安価でコンパクトとすることができる。
【００４３】
接続手段４１等は、ｑ段目の組の光カプラの出力ポートと（ｑ＋１）段目の組の光カプラの入力ポートとを接続する光ファイバ又は光ファイバを配列した光ファイバテープを含むことが望ましい。つまり、光ファイバ又は光ファイバテープにより光カプラの入出力ポートを接続する。ここで、光ファイバテープとは、光ファイバ素線を平面状に配列し、それに一括してプラスチック樹脂を被覆したものをいう。接続手段４１等を光ファイバ又は光ファイバテープとすることにより、接続する入出力ポートを任意に選択できる。そのため、いずれの光カプラが故障しても予備の光カプラに接続し直すことができるため、光分岐モジュールの管理コストを低減することができる。
【００４４】
ここで、図２から図５に他の形態の光カプラを適用した光分岐モジュールの概略構成図を示す。また、図５から図１１に他の形態の接続手段を適用した光分岐モジュールの概略構成図を示す。
【００４５】
図２に示す光分岐モジュール２は、図１に示す（ｐ＋１）個の組の各組の２ｐ個の光カプラを同一の平面光波回路基板５１、５２、５３、５４・・・上に形成した形態である。また、図３に示す光分岐モジュール３は、図１に示す光分岐モジュール１を４波長多重の回路として２つ分の回路を備えた形態である。そして、それぞれの回路の１段目の組の光カプラを同一の平面光波回路基板５５上に形成し、２段目の組の光カプラを同一の平面光波回路基板５６上に形成した。図２又は図３に示すようにして、各組の２ｐ個の光カプラを同一の平面光波回路基板上に形成することにより、さらに光カプラの製造コストを低減して、光分岐モジュールのモジュールコストを抑制できる。
【００４６】
図４に示す光分岐モジュール４は、図１に示す（ｐ＋１）個の組の１段目及び２段目の組の光カプラを同一の平面光波回路基板５７上に形成した形態である。また、図５に示す光分岐モジュール５は、図１に示す光分岐モジュール１を４波長多重の回路として２つ分の回路を備えた形態である。そして、それぞれの回路の１段目及び２段目の組の光カプラを同一の平面光波回路基板５９上に形成した。図４又は図５に示すようにして、（ｐ＋１）個の組のうち少なくとも２組分の光カプラを同一の平面光波回路基板上に形成することにより、複数の組の光カプラを同一基板上に形成することから、各組の接続距離が短くなる分、光分岐モジュールをさらにコンパクトとすることができ、省スペース化が可能である。
【００４７】
図６に示す光分岐モジュール７は、図１に示す接続手段４１等について、ｑ段目の組の光カプラの出力ポートにそれぞれ接続する第１の光ファイバテープと、（ｑ＋１）段目の組の光カプラの入力ポートにそれぞれ接続する第２の光ファイバテープと、第１の光ファイバテープと第２の光ファイバテープの間で第１の光ファイバテープ及び第２の光ファイバテープのそれぞれから分岐して互いに接続された光ファイバを収容する光ファイバシートと、を含む形態である。図６では、例えば、２段目の組の光カプラ２１１、２１２に接続する第１の光ファイバテープとしての光ファイバテープ７２と３段目の列の光カプラ３１３、３１４に接続する第２の光ファイバテープとしての光ファイバテープ７７とを光ファイバシート７１を介して接続する。ここで、光ファイバシートとは、２枚のプラスチックフィルムの間に複数本の光ファイバを任意の配線形状で配置固定したものをいう。
【００４８】
図６においては、例えば光ファイバシート７１の一方の側の４心の光ファイバテープ７２を光ファイバシート７１内で４本の光ファイバ素線に分離して任意の配線形状で配置する。また、光ファイバシート７１の一方の側の４心の光ファイバテープ７６を光ファイバシート７１内で４本の光ファイバ素線に分離して任意の配線形状で配置する。そして、光ファイバテープ７２、７６のそれぞれから２心ずつの光ファイバ素線を集めて合計４心の光ファイバテープ７３、７７をそれぞれ形成する。
【００４９】
また、光ファイバシート７１と光ファイバテープ７２、７６との間には、それぞれ融着接続部７４、７８を有し、光ファイバシート７１と光ファイバテープ７３、７７との間には、それぞれ融着接続部７５、７９を有する。融着接続部では、光ファイバテープ同士を突き合わせ、対向する光ファイバ素線同士を融着接続する。なお、以下に説明する融着接続部についても同様である。
【００５０】
なお、図６では、光ファイバテープ７２の光ファイバ素線の配列の間隔と光カプラ２１１、２１２の出力ポートの配置間隔とが異なっているが、この間隔は略同じとすることもできる。平面光波回路基板５２、５３上に形成した光カプラの入出力ポートのピッチをハーフピッチとした場合、平面光波回路基板５２側の光カプラを光ファイバブロックで光ファイバテープ７２、７６に接続するときは、光ファイバテープ７２、７６からの光ファイバ心線を分離することなく接続することができる。なお、以下に説明する光ファイバテープと光カプラとの接続についても同様である。
【００５１】
また、図７に示す光分岐モジュール８は、図１に示す光分岐モジュール１を４波長多重の回路として４つ分の回路を２つ備えた形態である。そして、それぞれの回路の１段目及び２段目の組の光カプラをそれぞれ同一の平面光波回路基板７０、８０上に形成した。また、１段目及び２段目の組の光カプラの入出力ポートの１つおきに接続した光ファイバテープ８１、８５及び光ファイバテープ８２、８６を光ファイバシート８９を介して接続した。光ファイバテープ８１、８５及び光ファイバテープ８２、８６を１段目及び２段目の組の光カプラの入出力ポートの１つおきに接続することで４波長多重の回路をコンパクトに４つ分備えることができる。なお、光ファイバシート８９と光ファイバテープ８１、８５及び光ファイバテープ８２、８６との間には、融着接続部８３、８４、８７、８８を有する。
【００５２】
ここで、平面光波回路基板７０、８０上に形成した光カプラの入出力ポートのピッチをハーフピッチとした場合、平面光波回路基板７０側の光カプラを光ファイバブロックで光ファイバテープ８１、８５と接続するときは、光ファイバテープ８１、８５からの光ファイバ心線をくし歯状に重ねて交互に光カプラの出力ポートと接続する。平面光波回路基板８０側の光カプラについても同様である。なお、図７に示す形態のように、光ファイバテープを光カプラの入出力ポートの１つおきに接続する場合の接続方法については、以下の説明する実施形態においても同様である。
【００５３】
図６及び図７に示すように光ファイバシートを介して光カプラ同士を接続すると、光ファイバ同士が交差する場合においても光ファイバ素線同士の単心単位での接続をすることなく、光ファイバテープ単位での光カプラ間の接続が可能となる。また、光ファイバ配線の保護、並びに光分岐モジュールの取り扱いの容易化及びモジュールサイズの小型化を図ることができる。
【００５４】
また、図８に示す光分岐モジュール９のように、図７に示す４波長多重の回路４つ分を有する光分岐モジュールにおいて、光ファイバシート８９での接続の代わりに、光ファイバテープ６３を単心に分離し、１つおきにリボナイズした２つの４心の光ファイバテープ６５、６６として、光ファイバテープ６４、６９と接続することとしてもよい。また、光ファイバテープ６３及び光ファイバテープ６４、６９の間には、融着接続部６７、６８をそれぞれ有する。
【００５５】
また、図９に示す光分岐モジュール６は、図１に示す光分岐モジュール１において、接続手段４１等を平面光波回路基板６０、６１、６２・・・上に形成された光導波路とした形態である。接続手段を平面光波回路基板上に形成された光導波路とすることにより、光カプラ同士の接続距離を短くできるため、光分岐モジュール６の構成要素の実装の高密度化を図ることができる。
【００５６】
また、図１０に示す光分岐モジュール１０は、図１に示す光分岐モジュール１を４波長多重の回路として２つ分の回路を備えた形態である。また、図１１は、図１０に示す光分岐モジュールの論理接続を示している。
【００５７】
図１０に示す光分岐モジュール１０は、図１に示す接続手段４１等について、１段目の組の光カプラのいずれか一方の出力ポートと２段目の組の光カプラの入力ポートとを平行に接続する第１の光ファイバテープとしての光ファイバテープ９０と、１段目の組の光カプラの他方の出力ポートと２段目の組の光カプラの入力ポートとを対象に接続する第２光ファイバテープとしての光ファイバテープ９１と、を有する。なお、光ファイバテープ９０、９１にはそれぞれ融着接続部９２、９３を有する。
【００５８】
ここで、光カプラの入出力ポートを平行に接続するとは、図１１に示すように、１段目及び２段目の組の光カプラ同士を接続する４本の接続１１９、１２０、１２１、１２３が互いに交差しないことを意味する。また、光カプラの入出力ポートを対象に接続するとは、図１１に示すように、１段目及び２段目の組の光カプラ同士を接続する４本の接続１２９、１３０、１３１、１３２が総て交差することを意味する。なお、この光カプラ同士の接続の定義は、図１で説明した接続手段４１等に関する接続の前提を当然に具備することを前提とする。なお、上記「平行に接続する」及び「対象に接続する」の定義は、以下に説明する実施形態についても同様である。
【００５９】
このように、接続手段を光ファイバテープ９０及び光ファイバテープ９１とすることにより、一方の光ファイバテープ９１は、光カプラ同士をストレートに接続し、他方の光ファイバテープ９０は、捻り部９４により捻ることにより１段目の組の光カプラと２段目の組の光カプラとを接続することができる。そのため、光ファイバテープからの単心分離やリボナイズを必要とせずに光ファイバテープ単位での接続が可能となる。従って、光分岐モジュールの取り扱いの容易化、モジュール構成要素の実装の高密度化及び製造効率の高効率化を図ることができる。
【００６０】
また、図１２から図１９に、図１０に示す光分岐モジュール１０の他の形態を示す。
【００６１】
図１２に示す光分岐モジュール１２は、図１に示す光分岐モジュール１を４波長多重の回路として４つ分の回路を備えた形態である。また、図１３は、図１２に示す光分岐モジュールの論理接続を示している。
【００６２】
図１２に示す光分岐モジュール１２は、図１に示す接続手段４１等について、１段目の列の光カプラのいずれか一方の出力ポートと２段目の組の光カプラの入力ポートとを平行に接続する第１の光ファイバテープとしての光ファイバテープ９５と、１段目の組の光カプラの他方の出力ポートを２段目の組の光カプラの入力ポートとを対象に接続する第２光ファイバテープとしての光ファイバテープ９６と、を有する。なお、光ファイバテープ９５、９６にはそれぞれ融着接続部９７、９８を有する。本実施形態では、１段目及び２段目の組の光カプラを回路ごとに順に配置することで、４波長多重の回路をコンパクトに４つ分備えることができる。
【００６３】
このように、接続手段を光ファイバテープ９５及び光ファイバテープ９６とすることにより、一方の光ファイバテープ９５は、光カプラ同士をストレートに接続し、他方の光ファイバテープ９６は、捻り部９９により捻ることにより光カプラ同士を接続することができる。そのため、光ファイバテープからの単心分離やリボナイズを必要とせずに光ファイバテープ単位での接続が可能となる。従って、光分岐モジュールの取り扱いの容易化、モジュール構成要素の実装の高密度化及び製造効率の高効率化を図ることができる。
【００６４】
また、図１４に示す光分岐モジュール１４は、図１に示す光分岐モジュール１を４波長多重の回路として８つ分の回路を備えた形態である。また、図１５は、図１４に示す光分岐モジュールの論理接続を示している。
【００６５】
図１４に示す光分岐モジュール１４は、図１に示す接続手段４１等について、１段目の列の光カプラのいずれか一方の出力ポートと２段目の組の光カプラの入力ポートとを平行に接続する第１の光ファイバテープとしての光ファイバテープ１００と、１段目の組の光カプラの他方の出力ポートと２段目の組の光カプラの入力ポートとを対象に接続する第２光ファイバテープとしての光ファイバテープ１０１と、を有する。なお、光ファイバテープ１００、１０１にはそれぞれ融着接続部１０２、１０３を有する。本実施形態では、１段目及び２段目の組の光カプラを回路ごとに順に配置することで、４波長多重の回路をコンパクトに８つ分備えることができる。
【００６６】
このように、接続手段を光ファイバテープ１００及び光ファイバテープ１０１とすることにより、一方の光ファイバテープ１００は、光カプラ同士をストレートに接続し、他方の光ファイバテープ１０１は、捻り部１０４により捻ることにより光カプラ同士を接続することができる。そのため、光ファイバテープからの単心分離やリボナイズを必要とせずに光ファイバテープ単位での接続が可能となる。従って、光分岐モジュールの取り扱いの容易化、モジュール構成要素の実装の高密度化及び製造効率の高効率化を図ることができる。
【００６７】
また、図１６に示す光分岐モジュール１６は、図１に示す光分岐モジュール１を８波長多重の回路として２つ分の回路を備えた形態である。また、図１７は、図１６に示す光分岐モジュールの論理接続を示している。
【００６８】
図１６に示す光分岐モジュール１６は、図１に示す接続手段４１等について、１段目の列の光カプラのいずれか一方の出力ポートと２段目の組の光カプラの入力ポートとを平行に接続する第１の光ファイバテープとしての光ファイバテープ１０５と、１段目の組の光カプラの他方の出力ポートと２段目の組の光カプラの入力ポートとを対象に接続する第２光ファイバテープとしての光ファイバテープ１０６と、を有する。また、２段目の列の光カプラのいずれか一方の出力ポートと３段目の組の光カプラの入力ポートとを平行に接続する第１の光ファイバテープとしての光ファイバテープ１１０と、２段目の組の光カプラの他方の出力ポートを３段目の組の光カプラの入力ポートとを対象に接続する第２光ファイバテープとしての光ファイバテープ１１８、１１２と、を有する。なお、光ファイバテープ１０５、１０６にはそれぞれ融着接続部１０７、１０８を有する。また、光ファイバテープ１１０、１１８、１１２にはそれぞれ融着接続部１１３、１１４、１１５を有する。本実施形態では、１段目、２段目及び３段目の組の光カプラを回路ごとに順に配置することで、８波長多重の回路をコンパクトに２つ分備えることができる。
【００６９】
このように、接続手段を光ファイバテープ１０５、１０６、１１０、１１８、１１２とすることにより、一方の光ファイバテープ１０５は、光カプラ同士をストレートに接続し、他方の光ファイバテープ１０６は、捻り部１０９により捻ることにより光カプラ同士を接続することができる。また、一方の光ファイバテープ１１０は、光カプラ同士をストレートに接続し、他の光ファイバテープ１１８、１１２は、それぞれ捻り部１１６、１１７により捻ることにより光カプラ同士を接続することができる。そのため、光ファイバテープからの単心分離やリボナイズを必要とせずに光ファイバテープ単位での接続が可能となる。従って、光分岐モジュールの取り扱いの容易化、モジュール構成要素の実装の高密度化及び製造効率の高効率化を図ることができる。
【００７０】
また、図１８に示す光分岐モジュール１８は、図１に示す光分岐モジュール１を８波長多重の回路として４つ分の回路を備えた形態である。また、図１９は、図１８に示す光分岐モジュールの論理接続を示している。
【００７１】
図１８に示す光分岐モジュール１８は、図１に示す接続手段４１等について、１段目の列の光カプラのいずれか一方の出力ポートと２段目の組の光カプラの入力ポートとを平行に接続する第１の光ファイバテープとしての光ファイバテープ１８９と、１段目の組の光カプラの他方の出力ポートを２段目の組の光カプラの入力ポートとを対象に接続する第２光ファイバテープとしての光ファイバテープ１９０と、を有する。また、２段目の列の光カプラのいずれか一方の出力ポートと３段目の組の光カプラの入力ポートとを平行に接続する第１の光ファイバテープとしての光ファイバテープ１９４と、２段目の組の光カプラの他方の出力ポートを３段目の組の光カプラの入力ポートとを対象に接続する第２光ファイバテープとしての光ファイバテープ１９５、１９６と、を有する。なお、光ファイバテープ１８９、１９０にはそれぞれ融着接続部１９１、１９２を有する。また、光ファイバテープ１９４、１９５、１９６にはそれぞれ融着接続部１９７、１９８、１９９を有する。本実施形態では、１段目、２段目及び３段目の組の光カプラを回路ごとに順に配置することで、８波長多重の回路をコンパクトに４つ分備えることができる。
【００７２】
このように、接続手段を光ファイバテープ１８９、１９０、１９４、１９５、１９６とすることにより、一方の光ファイバテープ１８９は、光カプラ同士をストレートに接続し、他方の光ファイバテープ１９０は、捻り部１９３により捻ることにより光カプラ同士を接続することができる。また、２段目について、一方の光ファイバテープ１９４は、光カプラ同士をストレートに接続し、他の光ファイバテープ１９５、１９６は、それぞれ捻り部２００、２０１により捻ることにより光カプラ同士を接続することができる。そのため、光ファイバテープからの単心分離やリボナイズを必要とせずに光ファイバテープ単位での接続が可能となる。従って、光分岐モジュールの取り扱いの容易化、モジュール構成要素の実装の高密度化及び製造効率の高効率化を図ることができる。
【００７３】
また、図２０に、図８に示す光分岐モジュール９の他の形態を示す。図２０に示す光分岐モジュール１９は、図８に示す光分岐モジュール９の１段目の組の光カプラの前段部にさらに光学フィルタ２０２を設けた形態である。
【００７４】
図２０に示す光分岐モジュール１９では、光カプラ１１１１及び光カプラ１１２２の４個の各入力ポートにおいて、ＩＰ信号１波と映像信号３波を各入力ポートに１波ずつ割り当てて入力し、光カプラ１２１１及び光カプラ１２１２の出力ポートから各波長の信号が等分配されて出力される。そして、光学フィルタ２０２を光カプラ１１１１及び光カプラ１１２２の前段部に配置することにより、ＩＰ信号を入力したポートに映像信号が漏れ出すことを防ぐことができる。なお、他の光カプラにおいても同様にＩＰ信号及び映像信号の入出力がなされる。
【００７５】
ここで、図２１に、ＩＰネットワークで使用される光信号の通信波長帯域を示す。
【００７６】
ＩＰネットワーク上における映像配信では、ＩＴＵ−Ｔ勧告Ｇ．９８３．３に準拠した波長配置でＩＰ通信波長として１３１０ｎｍと１４９０ｎｍを用い、映像配信用の波長には、図２１に示す映像用の帯域である１５５０ｎｍから１５６０ｎｍ及びデジタル通信用の帯域である１５３９ｎｍから１５６５ｎｍが用いられる。従って、図２０に示す光学フィルタ２０２は、図２１に示すように１５３９ｎｍ以上の波長帯域を遮断する特性を有する。
【００７７】
図２０に示す光学フィルタ２０２は、８心の光ファイバテープ１２５を単心に分離し、１本おきにまとめてリボナイズした４心の光ファイバテープ１２７の途中に挿入する。このように、光学フィルタ２０２を配置することにより、製造コストの低減及び実装の高密度化を図ることができる。また、光学フィルタ２０２を有することにより、ＩＰネットワーク上での光通信の多重化を容易にすることができる。
【００７８】
光学フィルタ２０２は、光ファイバテープ１２５を単心に分離し、１段目の組の光カプラのＩＰ信号用の入力ポートに接続される光ファイバ心線に１本ずつ誘電体多層膜を適用した光学フィルタとしてもよい。また、光ファイバテープ１２５を単心に分離し、１段目の組の光カプラのＩＰ信号用の入力ポートに接続される光ファイバ心線の１本ずつに融着接続したファイバーブラッググレーティング（ＦＢＧ）としてもよい。
【００７９】
また、図２２に、図１２に示す光分岐モジュール１２の他の形態を示す。図２２に示す光分岐モジュール２１は、図１２に示す光分岐モジュール１２の１段目の組の光カプラの前段部にさらに光学フィルタ２２９を設けた形態である。光学フィルタ２２９の特性は、図２０に示した光学フィルタ２０２の特性と同様である。本実施形態では、光カプラ１１１１、２１１１、３１１１、４１１１の４個の光カプラの１の入力ポートをＩＰ信号用の入力ポートとし、光ファイバテープ１３６をＩＰ信号用の入力ポートに接続することとした。なお、ＩＰ信号用の入力ポートに接続する光ファイバテープは光ファイバテープ１３８であってもよい。
【００８０】
光学フィルタ２２９は、４心の光ファイバテープ１３６の途中に挿入する。光学フィルタ２２９を入力ポートの前段部に挿入する場合、ＩＰ信号用の入力ポートに接続される光ファイバを１つにまとめることが必要とされる。図２２に示す形態の光分岐モジュール２１では、平面光波回路基板１３４での光カプラを回路ごとに順に配置したことから、単純に４心の光ファイバテープ１３６を平面光波回路基板１３４上の光カプラの入力ポートにくし歯状に配置するだけで、４回路分のＩＰ信号用の入力ポートを１つの光ファイバテープ１３６にまとめることができ、製造工程の簡略化が可能となる。そのため、さらなる光分岐モジュールの製造コストの低減及びモジュール構成要素の高密度実装化を図ることができる。
【００８１】
光学フィルタ２２９は、光ファイバテープ１３６を単心に分離し、１段目の組の光カプラのＩＰ信号用の入力ポートに接続される光ファイバ心線に１本ずつ誘電体多層膜を適用した光学フィルタとしてもよい。また、光ファイバテープ１３６を単心に分離し、１段目の組の光カプラのＩＰ信号用の入力ポートに接続される光ファイバ心線の１本ずつに融着接続したＦＢＧとしてもよい。
【００８２】
また、図２３に、図１４に示す光分岐モジュール１４の他の形態を示す。図２３に示す光分岐モジュール２３は、図１４に示す光分岐モジュール１４の１段目の組の光カプラの前段部にさらに光学フィルタ１４７を設けた形態である。光学フィルタ１４７の特性は、図２０に示した光学フィルタ２０２の特性と同様である。本実施形態では、光ファイバテープ１４８をＩＰ信号用の入力ポートに接続することとした。なお、ＩＰ信号用の入力ポートに接続する光ファイバテープは光ファイバテープ１５０であってもよい。
【００８３】
光学フィルタ１４７は、８心の光ファイバテープ１４８の途中に挿入する。光学フィルタ１４７を入力ポートの前段部に挿入する場合、ＩＰ信号用の入力ポートに接続される光ファイバを１つにまとめることが必要とされる。図２３に示す形態の光分岐モジュール２３では、平面光波回路基板１４５での光カプラを回路ごとに順に配置したことから、単純に８心の光ファイバテープ１４８を平面光波回路基板１４５上の光カプラの入力ポートにくし歯状に配置するだけで、８回路分のＩＰ信号用の入力ポートを１つの光ファイバテープ１４８にまとめることができ、製造工程の簡略化が可能となる。そのため、さらなる光分岐モジュールの製造コストの低減及びモジュール構成要素の高密度実装化を図ることができる。
【００８４】
光学フィルタ１４７は、光ファイバテープ１４８を単心に分離し、１段目の組の光カプラのＩＰ信号用の入力ポートに接続される光ファイバ心線に１本ずつ誘電体多層膜を適用した光学フィルタとしてもよい。また、光ファイバテープ１４８を単心に分離し、１段目の組の光カプラのＩＰ信号用の入力ポートに接続される光ファイバ心線の１本ずつに融着接続したＦＢＧとしてもよい。
【００８５】
次に、図２４に、図１から図２３で説明した光分岐モジュールを適用したＩＰネットワーク上において、ＩＰ信号１波と映像信号３波とで多重化した映像配信システムの概略構成図を示す。
【００８６】
図２４に示す映像配信システム３００は、光終端装置１５６、１５７、１５８、１５９と、光終端装置１５６、１５７、１５８、１５９に接続された本実施形態に係る光分岐モジュール１６０と、光分岐モジュール１６０の１の出力ポートと光ファイバ１６４を介して接続される８分岐光スプリッタ１６２と、８分岐光スプリッタ１６２の１の出力ポートと光ファイバ１６５を介して接続される光終端装置１６３と、を有する。
【００８７】
光終端装置１５６は、ＩＰ通信用に用いる通信設備ビル１６１内に配置された装置である。ＩＴＵ−Ｔ勧告Ｇ．９８３．３に準拠した波長配置でＩＰ通信波長として１３１０ｎｍと１４９０ｎｍを用いる。また、光終端装置１５７、１５８、１５９は、映像配信に用いる通信設備ビル１６１内に配置された装置である。光終端装置１５７、１５８、１５９は、それぞれ異なる通信波長を有する。光終端装置１５７、１５８、１５９から出力された光は、本実施形態に係る光分岐モジュール１６０により合分波され、光分岐モジュール１６０の入力ポートに入射された総ての波長の信号光が略等分岐されて光分岐モジュール１６０の出力ポートから出力される。そして、さらに８分岐光スプリッタ１６２により分波され、光ファイバ１６５を介して光終端装置１６３により受信される。
【００８８】
ここで、映像配信用の波長には図２１に示す映像用の帯域である１５５０ｎｍから１５６０ｎｍ及びデジタル通信用の帯域である１５３９ｎｍから１５６５ｎｍが用いられる。この波長帯域内に映像信号として映像波長を３波設定すると、各波長間隔が狭くなる。これらを低損失に合波する場合、従来の波長依存性を持った光合分波器では、利用する波長に合わせて光合分波器内に狭帯域の光学特性を有する光学フィルタの実装が必要となる。この実装は、技術的に困難であり、製造コストが高い。さらに、従来の波長依存性を持った光合分波器では利用する波長に合わせて光合分波器を変更する必要があり、一方、新たに映像波長を追加する際には、波長に合わせた光合分波気を追加する必要が生じる。そのため、コスト及び部品点数の増加が生じる。
【００８９】
一方、本実施形態の光分岐モジュール１６０では、波長無依存の光カプラにより光分岐モジュールを構成することで利用する波長帯域に合わせた合分波器の変更が必要なくなり、狭帯域の映像波長の設定が可能となる。
【００９０】
また、前述したように図２５に示す合波及び分波を別々に行っていた従来のシステムでは、ＩＰ信号１波に映像信号３波を多重してそれを４波に分波するまでに、レンズコリーメント及び誘電体多層膜を用いたバルク型の合分波器２個を用いて合波するため、１ｄＢの挿入損失が生じ、後段の４分岐光スプリッタ１７１により６．６ｄＢの挿入損失が生じ、合計７．６ｄＢの挿入損失となる。一方、図２４に示す光分岐モジュール１６０では、図１で説明したように４個の光カプラで合波及び分波を同時に行うことができる。そのため、２個分の光カプラの挿入損失６．６ｄＢでＩＰ信号１波に映像信号３波を多重して４波に分波することが可能となり、従来のシステムと比較して１ｄＢの挿入損失改善を実現する。これによって、伝送装置のダイナミックレンジを大きくとることができ、映像配信サービスの提供可能エリアが拡大する。
【産業上の利用可能性】
【００９１】
本発明の光分岐モジュールは、中継ネットワーク等の幹線系ネットワークのみならず、ローカルエリアネットワークやアクセスネットワークを構築する際の光合分波器としても適用することができる。
【図面の簡単な説明】
【００９２】
【図１】１実施形態に係る光分岐モジュールの概略構成図である。
【図２】１実施形態に係る光分岐モジュールの概略構成図である。
【図３】１実施形態に係る光分岐モジュールの概略構成図である。
【図４】１実施形態に係る光分岐モジュールの概略構成図である。
【図５】１実施形態に係る光分岐モジュールの概略構成図である。
【図６】１実施形態に係る光分岐モジュールの概略構成図である。
【図７】１実施形態に係る光分岐モジュールの概略構成図である。
【図８】１実施形態に係る光分岐モジュールの概略構成図である。
【図９】１実施形態に係る光分岐モジュールの概略構成図である。
【図１０】１実施形態に係る光分岐モジュールの概略構成図である。
【図１１】図１０に示す光分岐モジュールの論理接続を示した図である。
【図１２】１実施形態に係る光分岐モジュールの概略構成図である。
【図１３】図１２に示す光分岐モジュールの論理接続を示した図である。
【図１４】１実施形態に係る光分岐モジュールの概略構成図である。
【図１５】図１４に示す光分岐モジュールの論理接続を示した図である。
【図１６】１実施形態に係る光分岐モジュールの概略構成図である。
【図１７】図１６に示す光分岐モジュールの論理接続を示した図である。
【図１８】１実施形態に係る光分岐モジュールの概略構成図である。
【図１９】図１８に示す光分岐モジュールの論理接続を示した図である。
【図２０】１実施形態に係る光分岐モジュールの概略構成図である。
【図２１】ＩＰネットワークで使用される光信号の通信波長帯域の１例を示した図である。
【図２２】１実施形態に係る光分岐モジュールの概略構成図である。
【図２３】１実施形態に係る光分岐モジュールの概略構成図である。
【図２４】図１から図２３に示す光分岐モジュールを適用したＩＰネットワーク上において、ＩＰ信号１波と映像信号３波とで多重化した映像配信システムの概略構成図である。
【図２５】ＰＤＳによる波長多重システムの概略構成図である。
【図２６】複数の光カプラを接続した光合分波器の概略構成図である。
【符号の説明】
【００９３】
１：光分岐モジュール
２：光分岐モジュール
３：光分岐モジュール
４：光分岐モジュール
５：光分岐モジュール
６：光分岐モジュール
７：光分岐モジュール
９：光分岐モジュール
１０：光分岐モジュール
１２：光分岐モジュール
１４：光分岐モジュール
１６：光分岐モジュール
１８：光分岐モジュール
１９：光分岐モジュール
２１：光分岐モジュール
２３：光分岐モジュール
４１：接続手段
４２：接続手段
４３：接続手段
５１：平面光波回路基板
５２：平面光波回路基板
５３：平面光波回路基板
５４：平面光波回路基板
５５：平面光波回路基板
５６：平面光波回路基板
５７：平面光波回路基板
５８：平面光波回路基板
５９：平面光波回路基板
６０：平面光波回路基板
６１：平面光波回路基板
６２：平面光波回路基板
６３：光ファイバテープ
６４：光ファイバテープ
６５：光ファイバテープ
６６：光ファイバテープ
６７：融着接続部
６８：融着接続部
６９：光ファイバテープ
７０：平面光波回路基板  
７１：光ファイバシート
７２：光ファイバテープ
７３：光ファイバテープ
７４：融着接続部
７５：融着接続部
７６：光ファイバテープ
７７：光ファイバテープ
７８：融着接続部
７９：融着接続部
８０：平面光波回路基板
８１：光ファイバテープ
８２：光ファイバテープ
８３：融着接続部
８４：融着接続部
８５：光ファイバテープ
８６：光ファイバテープ
８７：融着接続部
８８：融着接続部
８９：光ファイバシート
９０：光ファイバテープ
９１：光ファイバテープ
９２：融着接続部
９３：融着接続部
９４：捻り部
９５：光ファイバテープ
９６：光ファイバテープ
９７：融着接続部
９８：融着接続部
９９：捻り部
１００：光ファイバテープ
１０１：光ファイバテープ
１０２：融着接続部
１０３：融着接続部
１０４：捻り部
１０５：光ファイバテープ
１０６：光ファイバテープ
１０７：融着接続部
１０８：融着接続部
１０９：捻り部
１１０：光ファイバテープ
１１２：光ファイバテープ
１１３：融着接続部
１１４：融着接続部
１１５：融着接続部
１１６：捻り部
１１７：捻り部
１１８：光ファイバテープ
１１９：接続
１２０：接続
１２１：接続
１２３：接続
１２５：光ファイバテープ
１２６：光ファイバテープ
１２７：光ファイバテープ
１２８：光ファイバテープ
１２９：接続
１３０：接続
１３１：接続
１３２：接続
１３４：平面光波回路基板
１３５：平面光波回路基板
１３６：光ファイバテープ
１３７：光ファイバテープ
１３８：光ファイバテープ
１４５：平面光波回路基板
１４６：平面光波回路基板
１４７：光学フィルタ
１４８：光ファイバテープ
１４９：光ファイバテープ
１５０：光ファイバテープ
１５６：光終端装置
１５７：光終端装置
１５８：光終端装置
１５９：光終端装置
１６０：光分岐モジュール
１６１：通信設置ビル
１６２：光スプリッタ
１６３：光終端装置
１６４：光ファイバ
１６５：光ファイバ  
１６７：光ファイバ
１６８：光ファイバ
１６９：光ファイバ
１７０：光合分波器
１７１：光スプリッタ
１７２：光合分波器
１７３：平面光波回路基板  
１７９：光合分波器  
１８０：光カプラ
１８１：光カプラ
１８２：光カプラ
１８３：光カプラ
１８４：光カプラ
１８９：光ファイバテープ
１９０：光ファイバテープ
１９１：融着接続部
１９２：融着接続部
１９３：捻り部
１９４：光ファイバテープ
１９５：光ファイバテープ
１９６：光ファイバテープ
１９７：融着接続部
１９８：融着接続部
１９９：融着接続部
２００：捻り部
２０１：捻り部
２０２：光学フィルタ
２２９：光学フィルタ
３００：映像配信システム 
４００：波長多重システム 
１１１：光カプラ
１２２：光カプラ
１３３：光カプラ
１４４：光カプラ
１５５：光カプラ
１６６：光カプラ
１７７：光カプラ
１８８：光カプラ
２１１：光カプラ
２１２：光カプラ
２２１：光カプラ
２２２：光カプラ
２３１：光カプラ
２３２：光カプラ
２４１：光カプラ
２４２：光カプラ
３１１：光カプラ
３１２：光カプラ
３１３：光カプラ
３１４：光カプラ
３２１：光カプラ
３２２：光カプラ
３２３：光カプラ
３２４：光カプラ
４１１：光カプラ
４１２：光カプラ
４１３：光カプラ
４１４：光カプラ
４１５：光カプラ
４１６：光カプラ
４１７：光カプラ
４１８：光カプラ
１１１１：光カプラ
１１２２：光カプラ
１１３３：光カプラ
１１４４：光カプラ
１２１１：光カプラ
１２１２：光カプラ
１２２１：光カプラ
１２２２：光カプラ
１３１１：光カプラ
１３１２：光カプラ
１３１３：光カプラ
１３１４：光カプラ
２１１１：光カプラ
２１２２：光カプラ
２１３３：光カプラ
２１４４：光カプラ
２２１１：光カプラ
２２１２：光カプラ
２２２１：光カプラ
２２２２：光カプラ
２３１１：光カプラ
２３１２：光カプラ
２３１３：光カプラ
２３１４：光カプラ
３１１１：光カプラ
３１２２：光カプラ
３１３３：光カプラ
３１４４：光カプラ
３２１１：光カプラ
３２１２：光カプラ
３２２１：光カプラ
３２２２：光カプラ
３３１１：光カプラ
３３１２：光カプラ
３３１３：光カプラ
３３１４：光カプラ
４１１１：光カプラ
４１２２：光カプラ
４１３３：光カプラ
４１４４：光カプラ
４２１１：光カプラ
４２１２：光カプラ
４２２１：光カプラ
４２２２：光カプラ
４３１１：光カプラ
４３１２：光カプラ
４３１３：光カプラ
４３１４：光カプラ
５１１１：光カプラ
５１２２：光カプラ
５２１１：光カプラ
５２１２：光カプラ
６１１１：光カプラ
６１２２：光カプラ
６２１１：光カプラ
６２１２：光カプラ
７１１１：光カプラ
７１２２：光カプラ
７２１１：光カプラ
７２１２：光カプラ
８１１１：光カプラ
８１２２：光カプラ
８２１１：光カプラ
８２１２：光カプラ
【図１】
2006309066.tif 000003
【図２】
2006309066.tif 000004
【図３】
2006309066.tif 000005
【図４】
2006309066.tif 000006
【図５】
2006309066.tif 000007
【図６】
2006309066.tif 000008
【図７】
2006309066.tif 000009
【図８】
2006309066.tif 000010
【図９】
2006309066.tif 000011
【図１０】
2006309066.tif 000012
【図１１】
2006309066.tif 000013
【図１２】
2006309066.tif 000014
【図１３】
2006309066.tif 000015
【図１４】
2006309066.tif 000016
【図１５】
2006309066.tif 000017
【図１６】
2006309066.tif 000018
【図１７】
2006309066.tif 000019
【図１８】
2006309066.tif 000020
【図１９】
2006309066.tif 000021
【図２０】
2006309066.tif 000022
【図２１】
2006309066.tif 000023
【図２２】
2006309066.tif 000024
【図２３】
2006309066.tif 000025
【図２４】
2006309066.tif 000026
【図２５】
2006309066.tif 000027
【図２６】
2006309066.tif 000028